(57)【特許請求の範囲】
【請求項１】
ソケットコンタクトであって、
ピンコンタクトが挿入される、ソケットコンタクト本体と、
前記ソケットコンタクト本体に形成される、擦り割り部と、
前記ソケットコンタクト本体に形成される、第１のバネ部と、
前記ソケットコンタクト本体に形成されており、前記第１のバネ部の先端部に先端部が被せられ、前記第１のバネ部の先端部を前記ソケットコンタクト本体の内方へ付勢する第２のバネ部と、
を備え、
前記ソケットコンタクトはハウジングの挿入孔に挿入されており、
前記ソケットコンタクトに前記ピンコンタクトが挿入されると、前記第２のバネ部の先端部が前記挿入孔の内周面に接触して、前記第１のバネ部の先端部を前記ピンコンタクトに押し付けるソケットコンタクト。
【請求項２】
前記第１のバネ部は、前記ソケットコンタクト本体の内方に傾斜する請求項１に記載のソケットコンタクト。
【請求項３】
前記ソケットコンタクト本体に形成されるランスをさらに備える請求項１又は２に記載のソケットコンタクト。
【請求項４】
ピンコンタクトが挿入される、ソケットコンタクト本体と、
前記ソケットコンタクト本体に形成される、擦り割り部と、
前記ソケットコンタクト本体に形成される、第１のバネ部と、
前記ソケットコンタクト本体に形成されており、前記第１のバネ部の先端部に先端部が被せられ、前記第１のバネ部の先端部を前記ソケットコンタクト本体の内方へ付勢する第２のバネ部と、
を備えるソケットコンタクトを、ハウジングの挿入孔に挿入し、
前記ソケットコンタクトに前記ピンコンタクトを挿入し、前記第２のバネ部の先端部を前記挿入孔の内周面に接触させて、前記第１のバネ部の先端部を前記ピンコンタクトに押し付けるコンタクト嵌合方法。
【発明の詳細な説明】
【技術分野】
【０００１】
本発明はソケットコンタクト及びコンタクト嵌合方法に関し、特に電子機器に用いられるソケットコンタクト及びコンタクト嵌合方法に関する。
【背景技術】
【０００２】
一般的なコンタクト構造に用いられるソケットコンタクトは、図６に示すように、ソケットコンタクト１０１に挿入されるピンコンタクト１０２（図８）を当該ソケットコンタクト１０１で良好に保持できるように、擦り割り部１０３を備えている。また、ソケットコンタクト１０１は、図７に示すように、ランス１０４を備えている。
【０００３】
このようなソケットコンタクト１０１は、図８に示すように、ハウジング１０５の挿入孔１０５ａに挿入される。このとき、ソケットコンタクト１０１のランス１０４がハウジング１０５の挿入孔１０５ａの内周面に引っ掛かって、ソケットコンタクト１０１がハウジング１０５に固定される。
【０００４】
ところで、特許文献１には、レセプタクル側同軸外部コンタクトとプラグ側同軸外部コンタクトとの嵌合離脱を良好に検出することを試みた技術が開示されている。詳細には、レセプタクル側同軸外部コンタクトに切り欠き部が形成されており、当該切り欠き部に嵌合離脱検出コネクタの接触部が配置されている。プラグ側同軸外部コンタクトには外方に湾曲するバネ片が形成されている。
【０００５】
レセプタクル側同軸外部コンタクトにプラグ側同軸外部コンタクトが挿入されると、嵌合離脱検出コネクタの接触部がプラグ側同軸外部コンタクトのバネ片に接触して、レセプタクル側同軸外部コンタクトにプラグ側同軸外部コンタクトが嵌合されたことを検出する。一方、レセプタクル側同軸外部コンタクトからプラグ側同軸外部コンタクトが引き抜かれると、嵌合離脱検出コネクタの接触部とプラグ側同軸外部コンタクトのバネ片とが非接触の状態となって、レセプタクル側同軸外部コンタクトからプラグ側同軸外部コンタクトが離脱されたことを検出する。
【０００６】
特許文献２には、ハウジングの挿入孔の径よりも径が大きな雌型接触子を良好に挿入でき、しかもハウジングの挿入孔の所定の位置に雌型接触子を配置することを試みた技術が開示されている。詳細には、雌型接触子に擦り割り部が形成されている。また、ハウジングの挿入孔に突条が形成されている。雌型接触子をハウジングの挿入孔に挿入する際には、擦り割り部で雌型接触子の径とハウジングの挿入孔の径との差を吸収しつつ、当該擦り割り部を突条に嵌合する。
【先行技術文献】
【特許文献】
【０００７】
【特許文献１】特開平９−２０４９５７号公報
【特許文献２】実開平７−３４５６５号公報
【発明の概要】
【発明が解決しようとする課題】
【０００８】
一般的なソケットコンタクトの構造では、ピンコンタクト１０２をソケットコンタクト１０１に挿抜する際に、ピンコンタクト１０２が上下左右方向に振られることによって、図８に示すように、擦り割り部１０３の幅寸法が拡大してしまい、ピンコンタクト１０２との接触力を良好に維持できなくなる可能性がある。
特許文献１及び２の技術は、ピンコンタクトとの接触力を良好に維持することを試みた技術では無い。
【０００９】
本発明の目的は、上述した課題を解決するためになされたものであり、ピンコンタクトとの接触力を良好に維持できるソケットコンタクト及びコンタクト嵌合方法を提供することにある。
【課題を解決するための手段】
【００１０】
本発明の一形態に係るソケットコンタクトは、ピンコンタクトが挿入される、ソケットコンタクト本体と、前記ソケットコンタクト本体に形成される、擦り割り部と、前記ソケットコンタクト本体に形成される、第１のバネ部と、前記ソケットコンタクト本体に形成されており、前記第１のバネ部の先端部に先端部が被せられ、前記第１のバネ部の先端部を前記ソケットコンタクト本体の内方へ付勢する第２のバネ部と、を備える。
【００１１】
本発明の一形態に係るコンタクト嵌合方法は、ピンコンタクトが挿入される、ソケットコンタクト本体と、前記ソケットコンタクト本体に形成される、擦り割り部と、前記ソケットコンタクト本体に形成される、第１のバネ部と、前記ソケットコンタクト本体に形成されており、前記第１のバネ部の先端部に先端部が被せられ、前記第１のバネ部の先端部を前記ソケットコンタクト本体の内方へ付勢する第２のバネ部と、を備えるソケットコンタクトを、ハウジングの挿入孔に挿入し、前記ソケットコンタクトに前記ピンコンタクトを挿入し、前記第２のバネ部の先端部を前記挿入孔の内周面に接触させて、前記第１のバネ部の先端部を前記ピンコンタクトに押し付ける。
【発明の効果】
【００１２】
以上、説明したように、本発明によると、ピンコンタクトとの接触力を良好に維持できるソケットコンタクト及びコンタクト嵌合方法を提供することができる。
【図面の簡単な説明】
【００１３】
【図１】（ａ）は本発明の実施の形態に係るソケットコンタクトがハウジングに固定されている状態を概略的に示す斜視図である。（ｂ）は本発明の実施の形態に係るソケットコンタクトを概略的に示す斜視図である。
【図２】本発明の実施の形態に係るソケットコンタクトを概略的に示す正面図である。
【図３】本発明の実施の形態に係るソケットコンタクトを概略的に示す断面図である。
【図４】本発明の実施の形態に係るソケットコンタクトの使用形態を概略的に示す断面図である。
【図５】本発明の実施の形態に係るソケットコンタクトの使用形態を概略的に示す正面図である。
【図６】一般的なソケットコンタクトを概略的に示す正面図である。
【図７】一般的なソケットコンタクトを概略的に示す断面図である。
【図８】一般的なソケットコンタクトの使用形態を概略的に示す正面図である。
【発明を実施するための形態】
【００１４】
本発明の実施の形態に係るソケットコンタクト及コンタクト嵌合方法について説明する。但し、本発明が以下の実施の形態に限定される訳ではない。また、説明を明確にするため、以下の記載及び図面は、適宜、簡略化されている。
【００１５】
図１（ａ）に示すように、本実施の形態のソケットコンタクト１は、ハウジング２の挿入孔２ａに挿入される。ソケットコンタクト１は、導電部材から成る。ソケットコンタクト１は、図１（ｂ）乃至図３に示すように、ソケットコンタクト本体３、擦り割り部４、第１のバネ部５、第２のバネ部６、ランス７を備えている。
ソケットコンタクト本体３は、図１（ｂ）及び図２に示すように、円筒部３１、カシメ部３２を備えている。円筒部３１には、図４に示すように、ピンコンタクト８が挿入される。円筒部３１の径は、図５に示すように、ハウジング２の挿入孔２ａの径よりも若干小さく、且つピンコンタクト８の径と略等しく設定されている。なお、円筒部３１の径は、適宜設定される。
【００１６】
円筒部３１は、擦り割り部４、第１のバネ部５、第２のバネ部６、ランス７を備えている。擦り割り部４は、図１（ｂ）及び図２に示すように、円筒部３１の長手方向に形成されている。擦り割り部４は、当該円筒部３１の径とピンコンタクト８の径との差を吸収する。つまり、擦り割り部４は、円筒部３１にピンコンタクト８の径に応じて幅寸法が広がる。
【００１７】
第１のバネ部５は、先端部がピンコンタクト８に接触する。本実施の形態の第１のバネ部５は、図１（ｂ）及び図３に示すように、円筒部３１にピンコンタクト８が挿入されていない状態で、円筒部３１の前方から後方に向かって、断続的に円筒部３１の内方に傾斜している。つまり、第１のバネ部５は、板状に形成されており、前端部は円筒部３１に一体的に連結されている。第１のバネ部５の後端部は、自由端とされており、前端部より円筒部３１の内方に配置されている。
【００１８】
第２のバネ部６は、図１（ｂ）乃至図３に示すように、前端部で第１のバネ部５の後端部を覆う。本実施の形態の第２のバネ部６は、円筒部３１にピンコンタクト８が挿入されていない状態で、円筒部３１の前方から後方に向かって、略水平に配置されている。そして、第２のバネ部６の後端部は、円筒部３１に一体的に連結されている。第２のバネ部６の前端部は、第１のバネ部５の後端部を覆うように配置されており、第１のバネ部５における円筒部３１の外方側の面５ａに略接触している。
【００１９】
ランス７は、ソケットコンタクト１をハウジング２に固定する。本実施の形態のランス７は、前方から後方に向かって、断続的に円筒部３１の外方に傾斜している。つまり、ランス７は、板状に形成されており、前端部は円筒部３１に一体的に連結されている。ランス７の後端部は、自由端とされており、前端部より円筒部３１の外方に配置されている。
【００２０】
カシメ部３２は、円筒部３１の後方に延在している。本実施の形態のカシメ部３２は、半割部３２ａ、爪部３２ｂを備えている。半割部３２ａは、円筒部３１の後端部から連続するように形成されている。爪部３２ｂは、半割部３２ａの端面から突出している。半割部３２ａに配線９の導電部材（図示を省略）が載置され、当該導線部材を半割部３２ａとで挟持するように爪部３２ｂが折り曲げられる。これにより、ピンコンタクト８から入力される信号がソケットコンタクト１を介して配線９に伝送されたり、配線９からソケットコンタクト１を介して出力された信号がピンコンタクト８に出力されたりする。
【００２１】
このような構成のソケットコンタクト１を用いて、以下のようにピンコンタクト８との勘合が実現される。
先ず、ソケットコンタクト１のカシメ部３２に配線９の導電部材を電気的に接続する。そして、ソケットコンタクト１をハウジング２の挿入孔２ａに挿入する。このとき、ランス７の後端部がハウジング２の挿入孔２ａの内周面に接触して、ソケットコンタクト１をハウジング２の挿入孔２ａに固定する。
【００２２】
次に、図４に示すように、ソケットコンタクト１の円筒部３１にピンコンタクト８を挿入する。ソケットコンタクト１の第１のバネ部５は、前方から後方に向かって、円筒部３１の内方に傾斜しているので、ピンコンタクト８の挿入が妨げられない。このとき、ソケットコンタクト１の第１のバネ部５の後端部は、円筒部３１の外方側（矢印Ａ方向）に回転する。それに伴って、第２のバネ部６の前端部は、第１のバネ部５の後端部に押し上げられて、円筒部３１の外方側（矢印Ｂ方向）に回転する。そして、第２のバネ部６の前端部は、ハウジング２の挿入孔２ａの内周面に接触して、第１のバネ部５の後端部をピンコンタクト８に押し付けるように付勢する。これにより、ソケットコンタクト１とピンコンタクト８との接続力を維持することができる。
【００２３】
一方、ソケットコンタクト１からピンコンタクト８を抜くときは、ランス７がかえりの機能を果たして、ソケットコンタクト１がハウジング２にしっかりと固定されているので、ソケットコンタクト１からピンコンタクト８を良好に抜くことができる。このとき、ピンコンタクト８を上下左右に振ってソケットコンタクト１から抜こうとした際に、第１のバネ部５及び第２のバネ部６は、ハウジング２の挿入孔２ａの内周面に反力をとって、円筒部３１の内方側に向かって当該円筒部３１を押し込むので、擦り割り部４の幅寸法が大きくなって、円筒部３１の径が大きくなることを抑制できる。また、ピンコンタクト８を上下左右に振ってソケットコンタクト１から抜こうとした際にソケットコンタクト１に作用する力を、第２のバネ部６及びランス７が吸収するので、円筒部３１の径が大きくなることを一層抑制できる。このような作用を実現するために、第２のバネ部６とランス７とは、円筒部３１の中心を挟んで略対向するように配置されていることが好ましい。
【００２４】
なお、本発明は上記実施の形態に限られたものではなく、趣旨を逸脱しない範囲で適宜変更することが可能である。例えば、本実施の形態のソケットコンタクト１は、円筒部３１にピンコンタクト８が挿入されていない状態で、第１のバネ部５が円筒部３１の内方に傾斜しているが、略水平に形成されていても良い。
【符号の説明】
【００２５】
１  ソケットコンタクト
２  ハウジング
２ａ  挿入孔
３  ソケットコンタクト本体
３１  円筒部
３２  カシメ部、３２ａ  半割部、３２ｂ  爪部
４  擦り割り部
５  第１のバネ部
５ａ  外方側の面
６  第２のバネ部
７  ランス
８  ピンコンタクト
９  配線
１０１  ソケットコンタクト
１０２  ピンコンタクト
１０３  擦り割り部
１０４  ランス
１０５  ハウジング
１０５ａ  挿入孔
【図１】
0005881156.tif 000002
【図２】
0005881156.tif 000003
【図３】
0005881156.tif 000004
【図４】
0005881156.tif 000005
【図５】
0005881156.tif 000006
【図６】
0005881156.tif 000007
【図７】
0005881156.tif 000008
【図８】
0005881156.tif 000009